(57)【特許請求の範囲】
【請求項１】
建物開口部枠に取り付けるスクリーン枠が、対向する左右一対の固定枠と、それらの各上下端間に配設される上レール及び下レールとにより構成され、上記固定枠の一方と該固定枠に対向して横引きで開閉移動可能に設けられた可動桟との間において、それらの一方に支持させた巻取軸に捲回しているスクリーンの導出端をそれらの他方に固定し、上記スクリーン枠の上レールに、上記スクリーンの上端の開閉移動をガイドするガイド部材を設け、上記スクリーン枠の下レールを構成する薄い帯状板上には、上記固定枠及び可動桟の一方の下端部に取り付けられ、他方の下端部に設けられた開口から、可動桟の開閉移動に伴ってその内部に湾曲して出入りすると共に、該下レールに沿って直線的に導出入されて、上記巻取軸から繰り出されたスクリーンの下端縁部をガイドするスクリーンガイドを設けてなるバリアフリー型横引きロールスクリーン装置において、
上記ガイド部材及び上記スクリーンガイドによってガイドされるスクリーンの上下端縁部には多数の係合部材が取り付けられ、
スクリーンの上端をガイドするガイド部材は、上記スクリーンの上端縁部の係合部材を係合させる係合溝を下方に向け、スクリーンの張設方向に沿ってそれを開口させると共に、両外側面に上記上レール内の長手方向に沿う受け段部により支持させる凸縁を設けたインナーレールによって構成し、
一方、上記可動桟はその上端の鍔部を上記上レールの下方口部縁に摺動自在に係合させることにより、その下端を下レールから浮かせた状態でガイドされるように吊下し、
上記スクリーンガイドには、その上面に、スクリーンの張設方向に沿って上記スクリーンの下端縁部の係合部材を摺動自在に係合させる係合溝が形成され、スクリーンの下端縁部の係合部材が、下レール上に導出されたスクリーンガイドの上記係合溝に摺動自在に係合され、且つ、上記スクリーンガイドの下面には、上記下レール上を覆って摺動自在にそれを跨ぐ凹溝が形成され、該凹溝の内側端間は下レールを跨ぐに十分な余裕のある幅を有するものとし、
上記下レールが、上記スクリーン枠の上レールに対してスクリーン及び可動桟を吊下したうえで、左右一対の固定枠の下端間に取り付けるものとして構成されている、
ことを特徴とするバリアフリー型横引きロールスクリーン装置。
【請求項２】
バリアフリー型横引きロールスクリーン装置を組立製造するための方法であって、
該バリアフリー型横引きロールスクリーン装置は、建物開口部枠に取り付けるスクリーン枠が、対向する左右一対の固定枠と、それらの各上下端間に配設される上レール及び下レールとにより構成され、上記固定枠の一方と該固定枠に対向して横引きで開閉移動可能に設けられた可動桟との間において、それらの一方に支持させた巻取軸に捲回しているスクリーンの導出端をそれらの他方に固定して、スクリーン組立体を構成させ、上記スクリーン枠の上レールに、上記スクリーンの上端の開閉移動をガイドするガイド部材を設け、上記スクリーン枠の下レールを構成する薄い帯状板上には、上記固定枠及び可動桟の一方の下端部に取り付けられ、他方の下端部に設けられた開口から、可動桟の開閉移動に伴ってその内部に湾曲して出入りすると共に、該下レールに沿って直線的に導出入されて、上記巻取軸から繰り出されたスクリーンの下端縁部をガイドするスクリーンガイドを設けてなり、
上記バリアフリー型横引きロールスクリーン装置の組立製造においては、上記スクリーン組立体と、該スクリーン組立体における固定枠とそれに対向する他方の固定枠との上部間を上レールにより連結するに際して、
１）  上記上レールにおけるガイド部材として、上記スクリーンの上端縁部に設けた係合部材の係合溝を下方に向けて、それをスクリーンの張設方向に沿って開口させ、且つ、両外側面に上記上レール内の長手方向に沿う受け段部により支持させる凸縁を設けてなるインナーレールを予め上記上レールに嵌挿すると共に、上記スクリーン組立体における固定枠及び可動桟の一方の下端部に、スクリーンの下端縁部をガイドするスクリーンガイドの一端を取り付け、該スクリーンガイドの一端を他方の下端部に設けた開口からその内部に湾曲して出入りするように嵌入し、
２）  更に、上記可動桟の上端の鍔部を上レールの下方口部縁に摺動自在に係合させることにより、その下端を下レールの取り付け時に該下レールから浮かせた状態でガイドされるように吊下し、
３）  次いで、上記インナーレールの係合溝に上記巻取軸から繰り出されたスクリーンの上端縁部の係合部材を係合させると共に、該スクリーンの下端縁部の係合部材を上記スクリーンガイドの上面に設けた係合溝に係合させる、
という各操作を行ったうえで、上レールによる上記一対の固定枠の連結を行い、その後に、上記スクリーンガイドの下面に設けたところの、上記下レール上を覆って摺動自在にそれを跨ぐ凹溝に対して下レールが緩嵌するように、左右一対の固定枠の下端間を下レールにより連結する、
ことを特徴とするバリアフリー型横引きロールスクリーン装置の組立製造方法。
【請求項３】
請求項２に記載の組立製造方法により得られたバリアフリー型横引きロールスクリーン装置における上記一対の固定枠の下端間を連結している下レールの下面を、建物開口部の下枠上における上記横引きロールスクリーン装置の設置部位に接面させて固定し、そのスクリーン枠を建物開口部枠にブラケットで固定することを特徴とするバリアフリー型横引きロールスクリーン装置の設置方法。
【発明の詳細な説明】
【技術分野】
【０００１】
本発明は、防虫、防塵、遮光、目隠し、装飾等を目的として、建物開口部枠に装着するバリアフリー型横引きロールスクリーン装置、及びその組立製造・設置方法に関するものである。
【背景技術】
【０００２】
従来から、バリアフリー型で横引きのロールスクリーン装置としては、例えば、特許文献１に開示されているようなものが知られている。
この種のバリアフリー型で横引きのスクリーン装置は、基本的には、建物開口部枠に固定されるスクリーン枠が、左右の対向する一対の固定枠と、それらの上端間及び下端間に配設される上下レールと、横引きで開閉移動可能に形成された可動桟と、巻取軸に捲回されて上記固定枠の一方と可動桟との間に支持され、上記可動桟の横移動により該巻取軸に巻き取られ又は繰り出されるスクリーンと、上記可動桟の横移動に伴って上記固定枠又は可動桟の下端部からその内部に湾曲して出入りし、スクリーンの展張時に上記巻取軸から繰り出されるスクリーンの下端縁部に沿って直線的に導出されて、該スクリーンの下端縁部に沿って設けた係合部材を上面の係合溝に摺動自在に係合させることによりガイドするスクリーンガイドとを備えたものである。
【０００３】
かかる構成のスクリーン装置を建物開口部に設置するに当たっては、そのスクリーン装置が設置される建物開口部をバリアフリー化するために、建物開口部下枠上に固定的に配設する下レールとして、薄くて幅の狭い板状部材を用いることになるが、それはスクリーン装置の四周を囲む枠材の一部として用いるには強度的に満足できるものではなく、そのため、スクリーン枠を構成する左右一対の固定枠とそれらの上下端間を連結する上レール及び下レールとを予め一つの枠状に組み上げたうえで、そのスクリーン枠に対してスクリーン装置の他の構成要素を組み付けるよりも、スクリーン装置を設置しようとする建物開口部枠に対して、上記一対の固定枠とそれらの上下端間に位置させる上レール及び下レールをそれぞれ個別的に取り付けた後に、その建物開口部枠に設置された四周のスクリーン枠に対し、スクリーン装置の他の構成要素を組み付けるのが適切であるとして、そのような施工を行うことも考慮されている。
【０００４】
しかしながら、予め上記一対の固定枠とそれらの上下端間に位置させる上レール及び下レールをそれぞれ個別的に建物開口部枠に取り付けると、当該建物開口部枠自体が許容寸法誤差の範囲内で設置されていればよいが、それにある程度の寸法誤差があると、その寸法誤差を吸収するようにしてスクリーン装置の構成要素を組み付ける必要があり、それが作動不良の原因になる可能性が大である。
【０００５】
しかも、建物開口部自体に上記寸法誤差の問題がなくても、上下レールを予め取り付けた状態で可動桟やスクリーンの上端を上レールに摺動自在に組み付ける場合には、特に、上述のように下レールが強度的に満足できないことを考慮すると、上記可動桟等を、下レールに大きな力等を加えることなく、上レールに安定的に吊下することが必要であり、それにも拘わらず、予め、建物開口部に上レールを取り付けていると、スクリーンの上端を吊下する部材や可動桟を上レールの下部開口を通して吊下状態に組み付ける作業に困難性があり、むしろそのスクリーンの上端を吊下する部材や可動桟を上レールに安定的に吊るための構造を開発することに多大の困難性があり、結果的に、上レールの下部開口を通してスクリーンや可動桟を吊下状態にするのは不適切な設計というべきである。
【０００６】
かといって、バリアフリー化のために強度的な問題がある下レールにスクリーンや可動桟等の重量等を負担させるとなると、図１２（本発明の実施例との対応部分に同一の符号を付している。）に示すように、横引きロールスクリーン装置の製造、保管、移送等の各段階で、常に、スクリーン１８や可動桟１５等の重量による下レール１４の垂れ下がりが生じるので、それを抑制するための配慮が必要になり、上記製造、保管、移送等の各段階における作業性にも大きく影響することになる。
【０００７】
一方、バリアフリー型の横引きスクリーン装置は、歩行に支障がある人が通行するところにおいて、その設置が通行の障害にならないようにするものであり、上述のように、下レール上を走行するスライドレールを、スクリーンの巻取り時にスクリーンボックスや可動桟内に収納するように構成するので、それらの見付け寸法が大きくなって通路幅が狭くなるため、例えば、季節が変わることなどにより、その通路にスクリーン装置の配設の必要性が少なくなったときなどには、バリアフリー型であってもそのスクリーン装置自体の撤去を望まれることが多い。そのため、特にバリアフリー型の横引きのスクリーン装置では、完全に組み立てられたものを所要の位置に簡単に取り付けたり、一時的に撤去可能にしておくことが望まれる。
【０００８】
上述したところの問題を解決するためには、スクリーン装置自体を、最終的にはスクリーン枠内にスクリーン装置の構成要素を全体的に組み付けた状態に構成して、それを建物開口部枠に固定可能にする形態を有するものとし、これにより、建物開口部枠が有している寸法的誤差をスクリーン装置の組み付けに際して吸収する必要をなくすと同時に、それを所要の位置に簡単に取り付けたり、一時的に撤去したりするのを容易にし、しかしながら、スクリーン枠に対するスクリーン装置の他の構成要素の組み付けに際しては、スクリーン枠を構成する左右一対の固定枠と上下レールとを予め一つの枠状に組み上げてから各構成要素を組み付けるのではなく、少なくとも強度的に問題がある下レールを分離した状態で、スクリーン及び可動桟の組み付けの段階、及びその組み付け完了後においても、下レール上に可動桟等からの力が作用しないような組み付け作業を採用可能な構成にすることが必要になる。そして、このような組み付け作業の後に、下レールを含めてスクリーン枠の構成要素を一つの枠状に組み上げることにより、強度的に問題がある下レールを保護しながら建物開口部に設置することが可能になる。
【先行技術文献】
【特許文献】
【０００９】
【特許文献１】特開２００４−３４６５７８号公報
【発明の概要】
【発明が解決しようとする課題】
【００１０】
本発明は、このようなバリアフリー型横引きロールスクリーン装置における問題点を解決するためのもので、その技術的課題は、建物開口部下枠上に固定的に配設する下レールとして、バリアフリー化のために強度的に問題がある薄くて幅の狭い板状部材を用いざるを得ないが、上記スクリーン装置の組み付け、建物開口部への設置、及びその使用に際して、該下レールに負担が掛かるのを可及的に抑制できるようにした技術的手段を提供することにある。
【課題を解決するための手段】
【００１１】
上記課題を解決するため、本発明によれば、建物開口部枠に取り付けるスクリーン枠が、対向する左右一対の固定枠と、それらの各上下端間に配設される上レール及び下レールとにより構成され、上記固定枠の一方と該固定枠に対向して横引きで開閉移動可能に設けられた可動桟との間において、それらの一方に支持させた巻取軸に捲回しているスクリーンの導出端をそれらの他方に固定し、上記スクリーン枠の上レールに、上記スクリーンの上端の開閉移動をガイドするガイド部材を設け、上記スクリーン枠の下レールを構成する薄い帯状板上には、上記固定枠及び可動桟の一方の下端部に取り付けられ、他方の下端部に設けられた開口から、可動桟の開閉移動に伴ってその内部に湾曲して出入りすると共に、該下レールに沿って直線的に導出入されて、上記巻取軸から繰り出されたスクリーンの下端縁部をガイドするスクリーンガイドを設けてなるバリアフリー型横引きロールスクリーン装置において、上記ガイド部材及び上記スクリーンガイドによってガイドされるスクリーンの上下端縁部には多数の係合部材が取り付けられ、スクリーンの上端をガイドするガイド部材は、上記スクリーンの上端縁部の係合部材を係合させる係合溝を下方に向け、スクリーンの張設方向に沿ってそれを開口させると共に、両外側面に上記上レール内の長手方向に沿う受け段部により支持させる凸縁を設けたインナーレールによって構成し、一方、上記可動桟はその上端の鍔部を上記上レールの下方口部縁に摺動自在に係合させることにより、その下端を下レールから浮かせた状態でガイドされるように吊下し、上記スクリーンガイドには、その上面に、スクリーンの張設方向に沿って上記スクリーンの下端縁部の係合部材を摺動自在に係合させる係合溝が形成され、スクリーンの下端縁部の係合部材が、下レール上に導出されたスクリーンガイドの上記係合溝に摺動自在に係合され、且つ、上記スクリーンガイドの下面には、上記下レール上を覆って摺動自在にそれを跨ぐ凹溝が形成され、該凹溝の内側端間は下レールを跨ぐに十分な余裕のある幅を有するものとし、上記下レールが、上記スクリーン枠の上レールに対してスクリーン及び可動桟を吊下したうえで、左右一対の固定枠の下端間に取り付けるものとして構成されていることを特徴とするバリアフリー型横引きロールスクリーン装置が提供される。
【００１２】
更に、上記課題を解決するため、本発明によれば、バリアフリー型横引きロールスクリーン装置を組立製造するための方法であって、該バリアフリー型横引きロールスクリーン装置は、建物開口部枠に取り付けるスクリーン枠が、対向する左右一対の固定枠と、それらの各上下端間に配設される上レール及び下レールとにより構成され、上記固定枠の一方と該固定枠に対向して横引きで開閉移動可能に設けられた可動桟との間において、それらの一方に支持させた巻取軸に捲回しているスクリーンの導出端をそれらの他方に固定して、スクリーン組立体を構成させ、上記スクリーン枠の上レールに、上記スクリーンの上端の開閉移動をガイドするガイド部材を設け、上記スクリーン枠の下レールを構成する薄い帯状板上には、上記固定枠及び可動桟の一方の下端部に取り付けられ、他方の下端部に設けられた開口から、可動桟の開閉移動に伴ってその内部に湾曲して出入りすると共に、該下レールに沿って直線的に導出入されて、上記巻取軸から繰り出されたスクリーンの下端縁部をガイドするスクリーンガイドを設けてなり、上記バリアフリー型横引きロールスクリーン装置の組立製造においては、上記スクリーン組立体と、該スクリーン組立体における固定枠とそれに対向する他方の固定枠との上部間を上レールにより連結するに際して、
１）  上記上レールにおけるガイド部材として、上記スクリーンの上端縁部に設けた係合部材の係合溝を下方に向けて、それをスクリーンの張設方向に沿って開口させ、且つ、両外側面に上記上レール内の長手方向に沿う受け段部により支持させる凸縁を設けてなるインナーレールを予め上記上レールに嵌挿すると共に、上記スクリーン組立体における固定枠及び可動桟の一方の下端部に、スクリーンの下端縁部をガイドするスクリーンガイドの一端を取り付け、該スクリーンガイドの一端を他方の下端部に設けた開口からその内部に湾曲して出入りするように嵌入し、
２）  更に、上記可動桟の上端の鍔部を上レールの下方口部縁に摺動自在に係合させることにより、その下端を下レールの取り付け時に該下レールから浮かせた状態でガイドされるように吊下し、
３）  次いで、上記インナーレールの係合溝に上記巻取軸から繰り出されたスクリーンの上端縁部の係合部材を係合させると共に、該スクリーンの下端縁部の係合部材を上記スクリーンガイドの上面に設けた係合溝に係合させる、
という各操作を行ったうえで、上レールによる上記一対の固定枠の連結を行い、その後に、上記スクリーンガイドの下面に設けたところの、上記下レール上を覆って摺動自在にそれを跨ぐ凹溝に対して下レールが緩嵌するように、左右一対の固定枠の下端間を下レールにより連結することを特徴とするバリアフリー型横引きロールスクリーン装置の組立製造方法が提供される。
【００１３】
上記バリアフリー型横引きロールスクリーン装置の組立製造方法により得られたバリアフリー型横引きロールスクリーン装置は、その一対の固定枠の下端間を連結している下レールの下面を、建物開口部の下枠上における上記横引きロールスクリーン装置の設置部位に接面させて固定し、そのスクリーン枠を建物開口部枠にブラケットで固定する設置方法を適用することが望まれる。
【発明の効果】
【００１４】
以上に詳述したように、本発明によれば、建物開口部の下枠上に固定的に配設する下レールとして、バリアフリー化のために強度的に問題がある薄くて幅の狭い板状部材を用いるに当たり、上記スクリーン装置の組み付け、建物開口部への設置、及びその使用に際して、該下レールに負担が掛かるのを可及的に抑制できるようにした手段を提供することができる。
【図面の簡単な説明】
【００１５】
【図１】本発明に係るバリアフリー型横引きロールスクリーン装置の実施例を示す部分透視正面図である。
【図２】同実施例の下面図である。
【図３】同実施例の一部破断縦断側面図である。
【図４】図３の要部拡大断面図である。
【図５】本発明におけるスクリーン組立体を組み立てる態様を説明するための模式的説明図である。
【図６】可動桟及びスクリーンの上端縁部の係合部材を、上レール及びそれに嵌挿しているインナーレールに係合させる態様を示す要部拡大斜視図である。
【図７】可動桟にその下端から出入りするスクリーンガイドにスクリーンの下端縁部の係合部材を係合させる態様を示す要部拡大斜視図である。
【図８】ガイド駒の連結により構成したスクリーンガイドの拡大斜視図である。
【図９】スクリーンの上下端縁部の係合部材を、それぞれ、上レールに嵌挿したインナーレール、及び可動桟の下端から出入りするスクリーンガイドに係合させた状態を示す要部斜視図である。
【図１０】上記スクリーン装置を建物開口部枠内に設置する態様を説明するための水平断面図である。
【図１１】同部分透視分解斜視図である。
【図１２】スクリーン及び可動桟の上部を上レールに吊下できない場合の下レールの垂れ下がりにについての説明図である。
【発明を実施するための形態】
【００１６】
添付の図１〜図１１は、本発明に係るバリアフリー型横引きロールスクリーン装置の好ましい実施の一例を示している。この横引きロールスクリーン装置１は、図１０及び図１１に示すような建物開口部枠２に取り付けるスクリーン枠１０が、対向する左右一対の固定枠１１，１２と、それらの上下端間を相互に連結する上レール１３及び下レール１４とにより構成されている。但し、この横引きロールスクリーン装置１の組立においては、まず最初に、上記スクリーン枠１０を組み上げるのではなく、図１及び図５等を参照して後述するように、上記固定枠１１，１２の一方であるところの、スクリーン１８の巻取軸１６を巻取り方向にばね付勢して回転可能に収容する巻取りボックスとしての固定枠１１と、該固定枠１１に対向して横引きで開閉移動可能に設けられる可動桟１５との間において、上記巻取軸１６に捲回されたスクリーン１８の導出端を可動桟１５に取り付けることにより、スクリーン組立体２０を構成させることが必要である。
【００１７】
なお、上記スクリーン組立体２０では、図１に明瞭に示すように、固定枠１１内にスクリーン１８の巻取軸１６を回転自在に支持させ、そのスクリーン１８の導出端を可動桟１５に取り付けているが、逆に、巻取軸１６を可動桟１５に回転可能に支持させ、該巻取軸１６から巻き戻すスクリーン１８の先端を固定枠１１に取り付けておくこともでき、それによっても上記可動桟１５の開閉移動操作に伴って該可動桟１５内の巻取軸１６にスクリーン１８を巻き取り又は巻き戻し可能にすることができる。上記スクリーン組立体２０の一部を構成するところの固定枠１１に対向する他方の固定枠１２は、可動桟１５によりスクリーン１８を展張した際に、該可動桟１５が当接する受け枠として機能し、また、矩形状のスクリーン枠１０の形状を安定的に保持させる機能を備えるものである。
【００１８】
上記横引きロールスクリーン装置においては、図４、図６及び図９において明瞭に示すように、上記スクリーン枠１０の上レール１３内に、上記スクリーン１８の上端の開閉移動をガイドするガイド部材としてのインナーレール２２を嵌挿し、これによってガイドされるスクリーン１８の上端縁部１８ａには、多数の係合部材１９ａを取り付けている。上記インナーレール２２は、上記スクリーン１８の上端縁部の係合部材１９ａを係合させる口部が狭い係合溝２２ａを下方に向け、それをスクリーン１８の張設方向に沿って開口させると共に、該インナーレール２２の左右両外側面に、上記上レール１３内面の長手方向に沿う一対の受け段部１３ａにより支持させる凸縁２２ｂを設けることによって、上記スクリーン１８を上レール１３に支持させるように構成している。上記スクリーン１８の上端縁部に設ける係合部材１９ａとしては、互いに噛み合う小片を一対の可撓テープ縁に取り付けて布等の接合に多用されているファスナーの半体を用いるのが望ましい。
【００１９】
また、上記スクリーン枠１０の下レール１４を構成する薄い帯状板上には、図１等を参照して以下に詳述するように、固定枠１１の下端部に一端が取り付けられて、開閉移動するスクリーン１８の下端をガイドするようにしたスクリーンガイド２５を設けている。該スクリーンガイド２５は、図１、図８及び図９から分かるように、多数のガイド駒２６を一方向に長く連結することにより構成したもので、上記固定枠１１の下端部から下レール１４に沿って直線的に可動桟１５の下端部まで伸び、その他端が可動桟１５の下端部に設けた開口２４からその内部に湾曲して導出入するようにしたものである。
【００２０】
そして、固定枠１１内の巻取軸１６から繰り出されるスクリーン１８の下端縁部１８ｂをガイドするため、図８及び図９に明瞭に示すように、該スクリーンガイド２５の上面には、スクリーン１８の張設方向に沿って該スクリーン１８の下端縁部１８ｂに設けた係合部材１９ｂを摺動自在に係合させる係合溝２５ａを設け、スクリーン１８の下端を保持してガイドできるようにしている。上記スクリーン１８の下端縁部１８ｂの係合部材１９ｂとしては、スクリーン１８の上端縁部１８ａの前記係合部材１９ａと同様なものを用いることができる。
【００２１】
上記スクリーンガイド２５の構成を更に具体的に説明すると、該スクリーンガイド２５における上記各ガイド駒２６は、図１及び図７〜図９に示すように、前記下レール１４によりガイドされる基台部２６ａ上に、該ガイド方向の両側に沿う一対の側面壁２６ｂと、該側面壁２６ｂの上端にあって中央部に上記ガイド方向のスリット２６ｄを有する上面壁２６ｃとを備えている。
【００２２】
上記基台部２６ａは、その上面に上記ガイド方向に向けて可撓の連結条２８を挿通する挿通部２６ｅを設けたもので、該連結条２８の挿通により多数のガイド駒２６を連結し、それらのガイド駒２６における上面壁２６ｃに設けたスリット２６ｄの羅列により、上記スクリーン１８の下端縁に設けた多数の係合部材１９ｂを摺動自在に係合保持させる前記係合溝２５ａが形成されている。上記連結条２８としての合成樹脂シート等からなる帯状部材は、その両端部に位置するガイド駒２６を該連結条２８の端部に鳩目等で連結することにより、簡単にスクリーンガイド２５を構成するのに有効なものである。
【００２３】
なお、上記各ガイド駒２６は、可動桟１５の下端部の開口２４にスクリーンガイド２５が出入りする際の湾曲時に、隣接ガイド駒２６における側面壁２６ｂ等の前後端部が相互に当接して円滑な湾曲移動が妨げられるの防止するために、該側面壁２６ｂ等の前後端部に湾曲時の相互の接触を避けるための逃げ部を形成している。
【００２４】
また、上記下レール１４は、建物開口部の下枠上を直線的に延びる薄帯板状の形態を有し、床面等に固定的に配設されるものであるが、上記スクリーンガイド２５をそれに沿って移動させるため、該スクリーンガイド２５を構成するガイド駒２６の基台部２６ａの下面には、上記下レール１４上を覆って摺動自在にそれを跨ぐ凹溝２７を設け、下レール１４に跨乗してガイドされるようにしている。そのため、該凹溝２７の内側面間は下レール１４を跨ぐに十分な余裕のある幅を有するものとしている。
【００２５】
一方、上記可動桟１５は、その上端に付設したキャップ１５ａの両側面の鍔部３０を、上記上レール１３の下方口縁部１３ｂに摺動自在に載置係合させることにより、該可動桟１５の下端を下レール１４から浮かせた状態でガイドされるように吊下している。そのため、上記下レール１４は、上記スクリーン枠１０の上レール１３に対してスクリーン１８及び可動桟１５を吊下したうえで、つまり、スクリーン１８及び可動桟１５の重量が作用しない状態で、左右一対の固定枠１１，１２の下端間に取り付けるものとして構成されている。
【００２６】
上記スクリーンガイド２５をこのように構成することにより、スクリーン１８の収納方向へのガイドに際しては、該スクリーン１８の巻取りと同時にスクリーンガイド２５が可動桟１５の下端部の開口２４からその内部に導入され、これにより、スクリーン枠１０の下枠についてのバリアフリー化を可能にするものである。
【００２７】
上記実施例では、固定枠１１がスクリーン１８の巻取軸１６を収容する巻取りボックスとして構成されているが、前述したように、該巻取軸１６を可動桟１５内に支持させ、該巻取軸１６から導出したスクリーン１８の先端を固定枠１１に保持することもでき、この場合には、可動桟１５の下端部にスクリーンガイド２５の一端を固定し、該スクリーンガイド２５の他端を下レール１４に沿って固定枠１１の下端部に導き、該固定枠１１の下端部に設けた開口からその内部に湾曲して出入りさせることになる。
【００２８】
上記巻取軸１６から引き出したスクリーン１８の導出端を可動桟１５（又は固定枠１１）に取り付けるに当たっては、該スクリーン１８の上下端縁部１８ａ，１８ｂに取り付ける多数の係合部材１９ａ，１９ｂと同様な係合部材１９ｃ（図７参照）を、該スクリーン１８の導出端にも取り付け、その係合部材１９ｃを、拡開方向に弾性力が付勢された二つ折りの取付部片によって該弾性力に抗して挟み込むことにより、該取付部片の口縁に上記係合部片１９ｃを係合保持させ、その状態で可動桟１５におけるスクリーン取付溝１５ｂ（図６参照）に該取付部片をスクリーン１８の導出端と共に押入し、該取付部片の口縁が係合部片の基部に係合するように閉じた状態で、それを可動桟１５の上記スクリーン取付溝１５ｂ内に係止できるようにしている。なお、図６におけるスクリーン取付溝１５ｂに付設した切欠部１５ｃは、上記係止を外すための工具挿入口である。巻取軸１６を可動桟１５内に設けてスクリーン１８の導出端を固定枠１１に取り付ける場合も、同様な取付構造を採用することができる。
【００２９】
次に、上記バリアフリー型横引きロールスクリーン装置を組立製造する方法について説明する。
前述したように、バリアフリー型横引きロールスクリーン装置自体は、最終的にはスクリーン枠１０内にスクリーン装置の構成要素を全体的に組み付けた状態に構成して、それを建物開口部枠２に固定可能にする形態を有するものとするのが望まれる。これにより、建物開口部枠２が有している寸法的誤差をスクリーン装置の組み付けに際して吸収する必要をなくすと同時に、スクリーン装置を所要の位置に簡単に取り付けたり、一時的に撤去したりするのを容易にすることができる。
【００３０】
しかし、スクリーン枠１０に対するスクリーン装置の構成要素の組み付けに際しては、少なくとも強度的に問題がある下レール１４を分離した状態で、スクリーン１８及び可動桟１５の組み付けの段階、及びその組み付け完了後の保管、搬送、設置段階においても、下レール１４上に可動桟１５等からの力が作用しないような組み付け作業を採用することが必要になる。そして、このような組み付け作業を行うことにより、強度的に問題がある下レール１４を保護しながら、製品の保管、移送、建物開口部枠への設置等を行うことが可能になる。
【００３１】
そこで、上記バリアフリー型横引きロールスクリーン装置は、図１及び図５等を参照して上述したように、建物開口部枠２に取り付けるスクリーン枠１０が、対向する左右一対の固定枠１１，１２と、それらの各上下端間に配設される上レール１３及び下レール１４とにより構成され、最終的には上述した横引きロールスクリーン装置として構成するものであるが、その組み付けに際しては、まず、上記固定枠１１とそれに対向して横引きで開閉移動可能に設けられる可動桟１５との間に、上記固定枠１１に支持させた巻取軸１６に捲回しているスクリーン１８の導出端を可動桟１５に固定してスクリーン組立体２０を構成させる。なお、巻取軸１６を可動桟１５に回転可能に支持させる場合には、当然に該巻取軸１６から巻き戻すスクリーン１８の先端を固定枠１１に取り付けることになる。
【００３２】
そして、上記横引きロールスクリーン装置の組立製造においては、上述のようにして得られたスクリーン組立体２０に、該スクリーン組立体２０における固定枠１１とそれに対向する他方の固定枠１２との上部間を上レール１３により連結するが、その連結に際しては、以下の１）〜３）の各操作を行ったうえで、上レール１３による上記一対の固定枠１１，１２の連結を行う必要がある。
【００３３】
１）  上記上レール１３におけるスクリーン１８のガイド部材として、該スクリーン１８の上端縁部１８ａに設けた係合部材１９ａの係合溝２２ａを下方に向けて、それをスクリーン１８の張設方向に沿って開口させ、且つ、両外側面に上記上レール１３内の長手方向に沿う受け段部１３ａにより支持させる凸縁２２ｂを設けてなるインナーレール２２を、予め上記上レール１３内に嵌挿すると共に、上記スクリーン組立体２０における固定枠１１及び可動桟１５の一方の下端部に、スクリーン１８の下端縁部１８ｂをガイドするスクリーンガイド２５の一端を取り付け、該スクリーンガイド２５の一端を他方の下端部に設けた開口２４からその内部に湾曲して出入りするように嵌入させる。なお、スクリーンガイド２５としては、先に図１、図８及び図９を参照して説明したような構成のものを採用するのが望ましい。
【００３４】
２）  更に、上記可動桟１５の上端の鍔部３０を、図３、図４及び図６に明瞭に示すように、上レール１３の下方口部縁１３ｂに摺動自在に係合させることにより、その下端を下レール１４の取り付け時に該下レール１４から浮かせた状態でガイドされるように吊下する。この可動桟１５の鍔部３０による上レール１３への吊下は、図５及び図６に示すように、上レール１３における固定枠１１への連結端側から該上レール１３に嵌入するのが、それに続くインナーレール２２の係合溝２２ａへのスクリーン１８の係合部材１９ａの係合が容易に行える点で有利である。
【００３５】
３）  次いで、上記インナーレール２２の係合溝２２ａに上記巻取軸１６から繰り出されたスクリーン１８の上端縁部１８ａの係合部材１９ａを係合させると共に、該スクリーン１８の下端縁部１８ｂの係合部材１９ｂを上記スクリーンガイド２５の係合溝２５ａ、つまり、スクリーンガイドを構成するガイド駒２６の上面壁２６ｃのスリット２６ｄに係合させる。この作業は、図６の状態でインナーレール２２の係合溝２２ａにスクリーン１８の上端縁部１８ａの係合部材１９ａを嵌入させ、また、巻取軸１６からスクリーン１８を繰り出すに際して該スクリーン１８の下端縁部１８ｂの係合部材１９ｂをスクリーンガイド２５の上面の係合溝２５ａに嵌入させたうえで、上レール１３に吊下した可動桟１５を固定枠１２側に移動させることにより容易に行うことができる。
【００３６】
このような各操作を行ったうえで、上レール１３による上記一対の固定枠１１，１２の連結を行い、また、上記上レール１３による一対の固定枠１１，１２の連結の後に、上記スクリーンガイド２５の下面に設けたところの、上記下レール１４上を覆って摺動自在にそれを跨ぐ凹溝２７に対して下レール１４が緩嵌するように、左右一対の固定枠１１，１２の下端間を下レール１４により連結することにより、横引きロールスクリーン装置の組立製造を完了することができる。
【００３７】
上記固定枠１１，１２と上レール１３との連結は、それぞれの固定枠１１，１２の上端に取り付けたコーナー部材４１，４２に設けたところの連結用突部４１ａ，４２ａを、それぞれ上レール１３内の中空部に押入し、弾性的な突出傾向を付与した弾片４３を上レール１３の両端部の固定孔４４に嵌入させることにより両者を固定するなどの手段を採用することにより、それらの連結状態を簡単に安定化させることができる。この場合に、必要が有れば固定枠１１，１２と上レール１３とを付加的にねじ等で固定することもできる。また、左右一対の固定枠１１，１２の下端間は、それらの固定枠１１，１２の下端面に下レール１４の端部を受け入れる凹溝を設けてそこに下レール１４の端部を嵌着し、それをねじ４５，或いは、その他の手段でそれぞれの固定枠１１，１２に固定することが望まれる。
【００３８】
上述のような手順で組立てられたバリアフリー型横引きロールスクリーン装置は、可動桟１５及びスクリーン１８が、インナーレール２２を介して十分な強度を保持させ得る上レール１３に吊下されているので、それらの重量が強度的に問題がある下レール１４に作用することはなく、そのため、下レール１４を保護しながら、製品の保管、移送、建物開口部枠への設置等を行うことが可能になる。
【００３９】
そして、このような構成を備えたバリアフリー型横引きロールスクリーン装置は、予め建物開口部に比して縦横の寸法を若干短寸に形成して、上記一対の固定枠１１，１２の下端間を連結している下レール１４の下面を、建物開口部の下枠上における所要の設置部位に接面させ、そこに接着その他の固定手段で固定し、そのスクリーン枠１０を建物開口部枠２に取り付けたブラケット３に両面接着テープ４やねじ等で固定することにより、建物開口部枠２が有している寸法的誤差をスクリーン装置の組み付けに際して吸収する必要をなくすと同時に、スクリーン装置を所要の位置に簡単に取り付けたり、一時的に撤去したりするのを容易にして設置することができる。
【符号の説明】
【００４０】
２    建物開口部枠
１０    スクリーン枠
１１，１２    固定枠
１３    上レール
１３ａ    受け段部
１３ｂ    口縁部
１４    下レール
１５    可動桟
１６    巻取軸
１８    スクリーン
１８ａ  上端縁部
１９ａ，１９ｂ    係合部材
２２    インナーレール
２２ａ    係合溝
２２ｂ    凸縁
２４    開口
２５    スクリーンガイド
２５ａ    係合溝
２７    凹溝
３０    鍔部
【図１】
0006408430.tif 000002
【図２】
0006408430.tif 000003
【図３】
0006408430.tif 000004
【図４】
0006408430.tif 000005
【図５】
0006408430.tif 000006
【図６】
0006408430.tif 000007
【図７】
0006408430.tif 000008
【図８】
0006408430.tif 000009
【図９】
0006408430.tif 000010
【図１０】
0006408430.tif 000011
【図１１】
0006408430.tif 000012
【図１２】
0006408430.tif 000013